(57)【特許請求の範囲】
【請求項１】
径方向周壁に配置された径方向出口開口部を有するファンハウジングと、
前記ファンハウジング内に回転可能に配置されたロータを有し、
前記ファンハウジングは入口開口部を備え、
前記ファンハウジング内で、前記径方向周壁に配置された前記ファンハウジングの径方向出口開口部から、前記径方向周壁に沿って内側に向かって延在する消音チューブ部であって、前記ロータに対して径方向外側に配置され、前記ロータに隣接して前記ロータに沿って延在し、前記出口開口部を前記ファンハウジングの径方向周壁から前記ファンハウジング内へと内方に変位させるチューブ部を特徴とする遠心ファン。
【請求項２】
前記ハウジングは、前記ロータが配置された皿状部と、前記皿状部に着脱可能に取り付けられたカバーを有する請求項１に記載の遠心ファン。
【請求項３】
前記チューブ部は、前記ファンハウジング内で、前記カバーから離間して、前記径方向周壁に配置された径方向出口開口部から前記径方向周壁に沿って内側に向かって延在する請求項２に記載の遠心ファン。
【請求項４】
前記チューブ部は、前記カバーによって閉じられることなく、それ自体が前記ファンハウジングの前記皿状部内で、通過流方向に対して全周に亘って閉じられ、前記径方向出口開口部（３０）から離間する入口（５０）を有する排出通路を画定する請求項３に記載の遠心ファン。
【請求項５】
前記ファンハウジングの前記皿状部の深さは、前記ロータの軸方向の厚さに実質的に対応し、前記チューブ部は、前記ロータに対して径方向外側に配置され、前記ロータに隣接して前記ロータに沿って延在する請求項２、３又は４に記載の遠心ファン。
【請求項６】
前記チューブ部は、前記ロータの軸方向において寸法を有し、前記寸法は、最大でも前記ロータの同方向の厚みと同じ大きさである請求項５に記載の遠心ファン。
【請求項７】
前記チューブ部（４２）は、前記ロータの外周に対応し、前記ロータの外周から一定距離離間した湾曲部（４４）を有する請求項５又は６に記載の遠心ファン。
【請求項８】
前記ファンハウジング内に延在する前記チューブ部は、前記チューブ部によって画定される排出通路の入口方向において先細りになるテーパー部を有し、前記入口は前記径方向出口開口部（３０）から離間している請求項１〜７のいずれかに記載の遠心ファン。
【請求項９】
前記チューブ部の前記テーパー部は、前記ロータの外周に実質的に対応する湾曲した輪郭を有する請求項８に記載の遠心ファン。
【請求項１０】
前記ロータの外周と、前記ロータに対向する前記チューブ部の壁との間の距離が１〜１０ｍｍの範囲内である請求項８又は９に記載の遠心ファン。
【請求項１１】
前記ファンハウジング内に延在する前記チューブ部は、前記径方向周壁と前記テーパー部との間に、実質的に同じ断面である更なるチューブ部を有する請求項８〜１０のいずれかに記載の遠心ファン。
【請求項１２】
前記ファンハウジング内に延在する前記チューブ部は、前記径方向周壁と前記チューブ部の開放端との間に、前記チューブ部の周壁に配置された少なくとも１つの通路を有する請求項１〜１１のいずれかに記載の遠心ファン。
【請求項１３】
前記チューブ部の周壁に配置された前記通路は、前記テーパー部の途中から前記径方向周壁までの間の領域に配置されている請求項１２に記載の遠心ファン。
【請求項１４】
前記チューブ部の周壁に配置された前記通路は、前記実質的に同じ断面である更なるチューブ部に配置されている請求項１１、並びに請求項１２又は１３に記載の遠心ファン。
【請求項１５】
前記チューブ部の周壁に配置された前記通路は、前記実質的に同じ断面である更なるチューブ部の途中から、前記テーパー部と前記実質的に同じ断面である更なるチューブ部との間の移行部までの間の領域に配置されている請求項１１、並びに請求項１２〜１４のいずれかに記載の遠心ファン。
【請求項１６】
前記チューブ部の周壁に配置された前記通路は、前記テーパー部と前記実質的に同じ断面である更なるチューブ部との間の移行部に実質的に隣接して配置されている請求項１４又は１５に記載の遠心ファン。
【請求項１７】
前記ファンハウジングの入口開口部は軸方向にあり、燃料／空気混合物を吸入するための吸入導管を備え、前記吸入導管は、前記ファンハウジングに沿って径方向に延在して、吸入された燃料／空気混合物を径方向流れ方向から軸方向流れ方向へ、前記入口開口部の近くに偏向させる請求項１〜１６のいずれかに記載の遠心ファン。
【請求項１８】
前記吸入導管が、燃料供給導管と流体接続され、さらに空気供給源と流体接続される混合部を有する請求項１７に記載の遠心ファン。
【請求項１９】
前記燃料供給導管は、前記空気供給源への流体接続部の内側に配置された内部導管である請求項１８に記載の遠心ファン。
【請求項２０】
前記空気供給源への流体接続部は、環境への開放接続部を有する請求項１８又は１９に記載の遠心ファン。
【請求項２１】
前記混合部がベンチュリを備える請求項１８〜２０のいずれかに記載の遠心ファン。
【請求項２２】
燃料混合物供給開口部を有するバーナーと、
請求項１〜２１のいずれかに記載の遠心ファンとを有し、
前記バーナーの燃料混合物供給開口部と前記遠心ファンの出口開口部との間に流体接続部が設けられた加熱装置。
【発明の詳細な説明】
【技術分野】
【０００１】
本発明は、径方向周壁に配置された径方向出口開口部を有するファンハウジングと、ファンハウジング内に回転可能に配置されたロータを有し、ファンハウジングが入口開口部を備える遠心ファンに関する。より詳細には、本発明は加熱装置用の遠心ファンに関する。
さらに、本発明は、燃料混合物供給開口部を有するバーナーと、遠心ファンとを有し、前記バーナーの燃料混合物供給開口部と前記遠心ファンの出口開口部との間に流体接続部が設けられた加熱装置に関する。
【背景技術】
【０００２】
ガスボイラーのような加熱装置において頻繁に発生する現象は、熱音響挙動によって決定されるかなりの程度の騒音の発生である。熱音響音は、通常、望ましくないハミング音として現れ、ユーザーをうるさがらせることがあり、また、不当にガスボイラーの品質に対する認識を低下させる可能性がある。燃焼品質はさらに悪影響を受ける可能性がある（より多くのＣＯの形成）。バーナー自体に加えて、バーナーの上流と、程度は低いが下流の要素も、熱音響音の生成に影響を与える。
【０００３】
熱音響音を低減する努力は、一般に、バーナーの上流の複数の曲げ部を有するチューブ部を配置することに基づいている。このようなチューブ部分は実験的に構築され、複雑な形態を取ることがあり、それによってしばしば容積が大きくなる。その複雑な性質のために、その開発及び製造にはさらに比較的時間がかかり、またこの湾曲チューブは加熱装置を通る流れ抵抗を増加させる。追加のヘルムホルツ共鳴器が適用され、複雑さ、開発時間及びコストにさらに加担する場合もある。
【０００４】
上記タイプの大容量遠心ファンは、米国特許公開２００８／２９２４５５から知られており、組み立てられた状態では、深い皿とカバーがファンハウジングを形成する。この皿はロータの厚みよりもかなり深く、その中の旋回流が発生音に寄与する。
さらには、国際公開ＷＯ９９／６４７４７Ａ１、ＷＯ２００９／１２４３３９Ａ１、ＷＯ２０１５／０４８２３１Ａ１及びＷＯ２０１１／０７４９５７、ならびに米国特許出願ＵＳ５２８６１６２Ａ及びフランス出願ＦＲ２７４６８６４Ａ１も先行技術として知られている。
【先行技術文献】
【特許文献】
【０００５】
【特許文献１】米国特許公開２００８／２９２４５５
【発明の概要】
【発明が解決しようとする課題】
【０００６】
本発明の目的は、上述の欠点が生じないか、又は少なくともその程度を少なくする加熱装置を提供することである。
【課題を解決するための手段】
【０００７】
上記目的は、遠心ファンに関する独立請求項の全ての特徴を含む遠心ファンの本発明により達成される。
【０００８】
米国特許公開２００８／２９２４５５には、皿の壁と空気流の流出のための出口開口部との間の移行部を開示している。ハウジング、出口開口部、及び移行部は、カバーが皿に取り付けられたときにのみ閉じられる。ここで、皿内では、ロータの高さ方向において旋回が発生し、結果として音が発生する。したがって、この構成では、ファンハウジングの壁を突出するチューブ部は存在せず、従来のらせん形状のファンハウジング、すなわち、チューブとしてハウジング内に突出する部分を有しない接線流出管のみを有するらせん形状のファンハウジングのみが存在する。しかしながら、本発明によれば、チューブ部は、ロータに対して径方向に沿って延在してロータに隣接し、これにより出口開口部から接続部への実質的に接線方向の通路を画定する。
【０００９】
チューブ部がファンハウジングの内部に突出すると、ファンハウジングの滑らかな内壁が妨害され、当業者であれば、これにより遠心ファンの効率が低下することを予想し、これに基づいて当業者は  本開示で提案されたような変更を考慮せず、音低減のために、ファンハウジングの外側における複雑で高価なチューブ構成を研究し続けるであろう。しかし、ファンハウジング内に突出するチューブ部という手法は、シンプルでありながら音の減少に関して効果的であることは顕著であり、そして驚くべきことに、最大でも僅か数パーセントという低い効率損失を犠牲にしている。
【００１０】
実験的に開発された複雑な先行技術の湾曲チューブ部に比べて、本発明によるチューブ部は多くの利点を有する。チューブ部はずっと短く、そのため必要とされる材料はより少ない。さらに、チューブ部の複雑さが減少し、それによって所望の消音を達成するための開発時間が短縮される。チューブ部は、さらに、既存の構成要素、すなわち遠心ファンのらせん形状外包に合体され、それによりコンパクトで頑丈な解決策が提供される。
【００１１】
ロータがファンハウジング内で回転すると、ロータは、ロータ流入開口部の近くに存在する流体に遠心力を及ぼし、それによって流体が径方向外側に移動する。流体がロータ流入開口部から流れ出るので、負圧が生じ、これにより、遠心ファンが、一般には吸入導管を介して、ファンハウジングの軸方向入口開口部を介して新鮮な流体を吸入することを保証する。
【００１２】
ロータによって外向きに移動された流体は、ある程度圧縮され、ロータによって与えられた過圧及び速度により、ファンハウジングの出口開口部を介して、例えば出口開口部に接続された圧力導管を介して流出する。
【００１３】
このように遠心ファンは、入口開口部を介して出口開口部への流体の連続的な流れを提供する。
【００１４】
本発明による遠心ファンは、ファンハウジング内で、径方向周壁に配置された径方向出口開口部から径方向周壁に沿って内側に向かって延在するチューブ部を備えるので、実際には、出口開口部は、ファンハウジングの径方向周壁からファンハウジング内へと内方に変位し、これにより、遠心ファンの出口開口部における流れ挙動／旋回の変化が生じる。これによって、熱音響挙動、特にいわゆるカットオフが抑制される。カットオフとは、らせん形状外包内の領域であり、当該領域では、らせん形状外包の壁とらせん形状外包内で非対称に配置されたロータとの間の距離は最小であり、出口開口部が配置される。カットオフから、ロータの回転方向において出口開口部まで、圧力の上昇が生じ、ロータとらせん形状外包の内壁との間の距離が次第に増大する。
【００１５】
熱音響挙動に影響を及ぼす要素の１つは、燃料／空気混合物をバーナーに通す遠心ファンである。本発明による遠心ファンは、熱音響音の生成を減少させ、これにより加熱装置は静粛である。これに対して、曲げ部を備え、空間を必要とする複雑な従来技術のチューブは冗長である。
【００１６】
空間を活用する利点に関し、本開示による遠心ファンにおいて、ファンハウジングが、ロータが配置される皿状部と、皿状部に着脱可能に取り付けられたカバーとを備えるものである。組み立ての利便性及び漏れ気密性の利点に関し、本開示による遠心ファンにおいてさらには、チューブ部がカバーから離間して、ファンハウジング内で、径方向周壁に配置された径方向出口開口部から径方向周壁に沿って内側に向かって延在する。さらに、同様又は類似の態様及び機能を有するという利点に関し、後述の実施形態における遠心ファンにおいてさらには、チューブ部は、カバーによって閉じられることなく、それ自体がファンハウジングの皿状部内に、全周に亘って閉じられ、径方向出口開口部（３０）から離間する入口（５０）を有する排出通路を画定する。これは、音の減少に関して特に有利であることが判明している。
【００１７】
皿状部とカバーを有する本開示による遠心ファンの一実施形態において、ファンハウジングの皿状部の深さは、ロータの軸方向の厚さに実質的に対応し、チューブ部は、ロータに対して径方向に沿って延在し、ロータに隣接する。遠心ファンはさらに、ここでは、チューブ部がロータの軸方向において寸法を有し、その寸法は最大でもロータの同方向の厚みと同じ大きさであるとしても良い。単一の径方向出口開口部（３０）に対する排出通路の任意選択で実現された延長によって、騒音の大幅な低減をもたらすコンパクトな構成を実現することができる。
【００１８】
チューブ部（４２）は、さらにロータの外周に対応し、ロータの外周から一定距離離間した湾曲部（４４）を有しても良い。
【００１９】
好ましい実施形態によれば、ファンハウジング内に延在するチューブ部は、チューブ部によって画定される排出通路への入口方向において先細りになるテーパー部を有し、当該入口は径方向出口開口部から離間してロータのための空間を設ける。ロータの径方向の寸法が大きくなればなるほど、ロータの容量は大きくなる。先細りになったチューブ部は従来の遠心ファンの標準出口開口部よりも小さい開口部を備えているので、先細りになったチューブ部が流動抵抗の望ましくない増加を引き起こすことは開発中に予想された。驚くべきことに、この影響は最小限であることが判明している。これは、テーパーがファンハウジング内に配置されたチューブ部の開放端の下流に拡幅を生じさせるという事実によって説明される。この拡幅は、チューブ部の内部の圧力を低下させる結果をもたらす。ベンチュリの作用と同様に、この圧力低下は、ファンハウジング内に配置されたチューブ部の開放端を通ってチューブ部に入る流体に吸引効果をもたらす。
【００２０】
さらに好ましい実施形態によれば、チューブ部のテーパー部が、ロータの外周に実質的に対応する湾曲した輪郭を有するときに、チューブ部を通る最大流量が達成される。加えて、ロータと湾曲した輪郭の壁との間に圧力の上昇が生じる可能性があり、これについては以下でさらに説明する。
【００２１】
さらに好ましい実施形態によれば、ロータの外周とロータに対向するチューブ部の壁との間の距離が１〜１０ｍｍの範囲内にあるとき、最適な動作が得られる。この距離が小さいと、望ましくない笛吹き音が発生する可能性がある。この距離が大きすぎると、音の減衰が減少することが実験で判明している。可能な説明は、距離が大きすぎると、圧力の上昇から得られる利益が不十分ということである。別の可能な説明は、出口点（燃料／空気混合物がロータを離れる場所）の変化によって、航空機の翼の外端部の乱流抑制先端羽根の作用と同様に、旋回の種類が変化し又は旋回が少なくなるということである。
【００２２】
さらに好ましい実施形態によれば、ファンハウジング内に延在するチューブ部は、径方向周壁とテーパー部との間に、実質的に同じ断面である更なるチューブ部を有する。
【００２３】
さらに別の好ましい実施形態によれば、ファンハウジング内に延在するチューブ部は、径方向周壁とチューブ部の開放端との間に、チューブ部の周壁に配置された少なくとも１つの通路を有する。ファンハウジングからこの追加の通路を通ってチューブ部に流れる流体は、チューブ部を通る主流に影響を及ぼし、したがって、熱音響音の発生の抑制に有利であることが判明されている流れ挙動の変化をもたらす。
【００２４】
ガス／空気混合物が遠心ファンのハウジングを出る部分であるチューブ部の始まりの形状は、熱音響挙動に強い影響を及ぼすことが判明されている。
【００２５】
チューブ部の周壁に配置された通路の最適な位置、大きさ及び形状は、依然として実験的に決定されなければならないが、多くの試験において、本願に記載される、以下の好ましい実施形態の事項が特に有利であることが判明されている。
【００２６】
さらに別の好ましい実施形態によれば、チューブ部の周壁に配置された通路は、テーパー部の途中から径方向周壁までの間の領域に配置されている。
【００２７】
さらに別の好ましい実施形態によれば、チューブ部の周壁に配置された通路は、ファンハウジングの内側に配置されたチューブ部の開放端のさらに下流にある、実質的に同じ断面である更なるチューブ部に配置されている。
【００２８】
さらに別の好ましい実施形態によれば、チューブ部の周壁に配置された前記通路は、実質的に同じ断面である更なるチューブ部の途中から、テーパー部と実質的に同じ断面である更なるチューブ部との間の移行部までの間の領域に配置されている。この領域は、特に効果的であることが実験で判明されている。
【００２９】
チューブ部のテーパー部の実質的に全体が圧力上昇を発生させるために利用されるとき、ロータとチューブ部の壁との間の圧力上昇から最適な利益が得られる。さらに別の好ましい実施形態によれば、チューブ部の周壁に配置された通路は、テーパー部と実質的に同じ断面である更なるチューブ部との間の移行部に実質的に隣接して配置されている。
【００３０】
本発明のさらに好ましい実施形態及びさらなる態様によれば、ファンハウジングの軸方向入口開口部は、燃料／空気混合物を吸入するための吸入導管を備え、当該吸入導管は、ファンハウジングに沿って径方向に延在して、吸入された燃料／空気混合物を径方向流れ方向から軸方向流れ方向へ、入口開口部の近くに偏向させる。この燃料／空気混合物のこの実質的に直角の偏向は、熱音響挙動に対して好ましい効果を有することが見出されており、この手段は、径方向周壁に配置された径方向出口開口部から径方向周壁に沿って内側に向かって延在するチューブ部により得られる消音効果に寄与する。
【００３１】
さらに別の好ましい実施形態によれば、吸入導管が、燃料供給導管と流体接続される混合部を有し、混合部はさらに空気供給源と流体接続される。混合部では、燃料と空気が混合されて燃料／空気混合物が形成され、混合部から吸入導管を介してファンハウジングの軸方向入口開口部にさらに案内される。
【００３２】
さらに別の好ましい実施形態によれば、燃料供給導管は、空気供給源への流体接続部の内側に配置された内部導管である。
【００３３】
さらに別の好ましい実施形態によれば、空気供給源への流体接続部は、環境への開放接続部を有し、自然供給源から無限の空気が得られる。この場合、定期的な補充を必要とする限られた空気供給を有する密閉容器は不要である。
【００３４】
さらに別の好ましい実施形態によれば、混合部がベンチュリを備える。遠心ファンのロータが駆動されて吸入導管内に負圧を生じると、燃料及び空気が吸入導管を介して吸入される。混合部にベンチュリを設けることにより、追加の吸引効果が得られる。ベンチュリが配置されている吸引導管と同様に、ベンチュリは径方向に配向される。
【００３５】
本発明は、さらに、
燃料混合物供給開口部を有するバーナーと、
本発明の遠心ファンとを有し、
前記バーナーの燃料混合物供給開口部と前記遠心ファンの出口開口部との間に流体接続部が設けられた加熱装置に関する。
【図面の簡単な説明】
【００３６】
【図１】図１は、本発明による遠心ファンを備える加熱装置の切り取り斜視図である。
【図２Ａ−Ｂ】図２Ａ及び図２Ｂは、図１の遠心ファンの斜視図である。
【図３Ａ−Ｂ】図３Ａ及び図３Ｂは、図２Ａの吸入導管が切り取られた斜視図であり、図３Ｂは分解図を示す。
【図４】図４は、遠心ファンの吸入導管の部分的な切り取り斜視図である。
【図５】図５は、遠心ファンの吸入導管の概略図である。
【図６】図６は、内部に設けられたロータと、本発明によるチューブ部とを備えたファンハウジングの斜視図である。
【図７】図７は、ロータが省略された図６の斜視図である。
【発明を実施するための形態】
【００３７】
図１の加熱装置１は、バーナー４が配置されたハウジング２を有する。バーナー４には、圧力導管６を介して燃料／空気混合物が供給され、この燃料／空気混合物は、吸入導管１０を介して遠心ファン２４によって吸入される。吸入導管１０には混合チャンバ１２が設けられ、そこでは流体接続部１４によって吸入される空気は、ガスブロック１８からの燃料供給導管１６によって吸入される燃料と混合される。遠心ファン２４は、モータ８によって駆動される。
【００３８】
遠心ファン２４は、カバーで閉鎖可能なファンハウジング２６を有し、その径方向周壁２８に配置される径方向出口開口部３０を有する。図示の実施形態では、径方向出口開口部３０は、圧力導管６と接続可能な接続部３２にほぼ接線方向に延びている（図２Ａ及び図２Ｂ）。
【００３９】
ロータ３４は、ファンハウジング２６内に回転可能に配置されている。ロータ３４には、その軸方向回転軸３６の近くにロータ流入開口部３８が設けられている。ファンハウジング２６には、ロータ３４の軸方向回転軸３６の近くに、軸方向の入口開口部４０が設けられている。
【００４０】
ロータ３４がモータ８によってファンハウジング２６内で回転可能に駆動されると、回転するロータ３４はロータ流入開口部３８の近くに存在する流体に遠心力を加える。これで、この流体は、ファンハウジング２６の径方向周壁２８に向かって径方向外側に移動される。流体がロータ流入開口部３８から流れ出るので、そこには負圧が生じ、これにより、遠心ファン２４が、ファンハウジング２６の軸方向入口開口部４０を介して新鮮な流体を吸入することを保証する。ファンハウジング２６に沿って径方向に延びる吸入導管１０が軸方向入口開口部４０に接続されている。この吸入導管１０からファンハウジング２６の軸方向入口開口部４０への移行部における燃料／空気混合物の実質的に直角の偏向は、熱音響挙動に対して好ましい効果を有し、この手段は、さらに後述のような、ハウジング２６内で、径方向周壁２８に配置された径方向出口開口部３０から径方向周壁２８に沿って内側に向かって延在するチューブ部４２により得られる消音効果に寄与する。
【００４１】
ロータ３４によって径方向外側に移動された流体は、ある程度圧縮され、ロータ３４によって与えられた過圧及び速度により、径方向出口開口部３０を介して、例えば接続部３２に接続可能な図１に示す圧力導管６を介して、ファンハウジング２６から加熱装置１のバーナー４の方向に流出する。遠心ファン２４は、このように、軸方向入口開口部４０を介して径方向出口開口部３０への流体の連続的な流れを提供する。
【００４２】
図３Ａ及び図３Ｂに示すように、吸入導管１０は、燃料供給導管１６と流体接続される混合部１２を有し、さらに空気供給源への流体接続部１４を有する。燃料及び空気は、混合部１２において混合され燃料／空気混合物を形成し、さらに混合部１２から吸入導管１０を介してハウジング２６の軸方向入口開口部４０に案内される。
【００４３】
図示の実施形態では、燃料供給導管１６は、空気供給部への流体接続部１４の内側に配置された内部導管である。空気供給との流体接続部１４は、ここでは環境への開放接続である。
【００４４】
混合部１２には、さらなる吸引作用を提供するベンチュリ２０が設けられている。ベンチュリ２０は、吸入導管１０が配置されるのと同様に、径方向、すなわち、軸方向の入口開口４０を通る流れに対して実質的に横方向に配向されている（図４及び図５を参照）。
【００４５】
遠心ファン２４は、ファンハウジング２６内で、径方向周壁２８に配置された径方向出口開口部３０から径方向周壁２８に沿って内側に向かって延在するチューブ部４２を有する（図６及び図７）。出口開口部３０は、実際には、ここでファンハウジング２６の径方向周壁２８からファンハウジング２６内へと内方に変位される。
【００４６】
図示された実施形態では、チューブ部４２は、ファンハウジング２６の径方向周壁２８から内側に向かって延在し、実質的に同じ断面を有するがテーパー部４４に移行する部分４６をまず有する。ファンハウジング２６から出る燃料／空気混合物は、逆方向経路に続き、開放外側端部５０を介してチューブ部４２に入る。テーパー部４４は今度下流方向に拡幅し、それによって、主流が実質的に同じ断面である部分４６に達する前に、開口部５０を通って流れるチューブ部４２を通る主流に圧力低下が生じる。
【００４７】
テーパー部４４と実質的に同じ断面である部分４６との間の移行部に近接して、チューブ部４２の壁に通路５２が配置されている。この通路５２により、ロータ３４によって径方向外側に移動された燃料／空気混合物の追加の流れがチューブ部４２で生じ、すでにそこを流れる主流との相互作用が発生する。これは熱音響効果を防ぐのに有利であることが実験的に判明している。この相互作用の結果として、望ましくないハミング音を実質的に完全に抑制する好ましい熱音響効果が得られる。
【００４８】
通路５２はテーパー部４４と実質的に同じ断面である部分４６との間の移行部に近接して配置することが好ましい。燃料／空気混合物がロータ３４とテーパー部４４の壁４８との間で圧力を高める機会を得るからである。
【００４９】
一方では通路５２の上流の燃料／空気混合物の圧力上昇を促進し、他方ではチューブ部４２を通る主流の最大流量を実現するために、テーパー部４４はロータ３４の外周に対応する湾曲部の形態を与えられる。
【００５０】
ファンハウジング２６は、ロータ３４が配置される皿状部４１と、この皿状部４１に着脱可能に取り付けられた図４及び図５に示すカバーとを備える。チューブ部４２は、ファンハウジング２６内で、このカバーから離間して、径方向周壁２８に配置された径方向出口開口部３０から径方向周壁２８に沿って内側に向かって、接線方向において延在する。チューブ部４２は、皿状部４１上のカバーがなくても、全周に亘って閉じられている。遠心ファンは、ここでは、チューブ部４２が、図４及び図５のカバーによって閉じられることなく、それ自体がファンハウジング２６の皿状部４１内で、全周に亘って閉じられ、径方向出口開口部３０から離間する図６に示す入口５０を有する排出通路を画定する。
【００５１】
図４及び図５のような皿状部４１及びカバーを有するこの実施形態では、本開示による遠心ファンは、ファンハウジング２６の皿状部４１の深さが、ロータ３４の軸方向の厚さに実質的に対応するというものである。チューブ部４２は、実質的に接線方向に配向された通路を画定するように、ロータ３４に沿ってかつそれに隣接してロータ３４に対して径方向に延びる。ここで、遠心ファンはさらに、チューブ部４２がロータ３４の軸方向の寸法を有し、その寸法は最大でもロータ３４の同方向の厚みと同じ大きさというものである。チューブ部はここではロータ３４の高さ又は厚さに中心が置かれ、それによってロータの高さ又は厚さ方向に旋回気流が最小限に抑えられる。したがって、単一の径方向出口開口部３０と比較して開放外側端部５０への排出通路の任意選択で実現された延長によって、騒音の大幅な低減をもたらすコンパクトな構成を実現することができる。
【００５２】
チューブ部４２はさらに、ロータ３４の外周に対応し、ロータ３４の外周から一定距離離間した湾曲部４４を有する。
【００５３】
本発明の好ましい実施形態を示しているが、上記の実施形態は、本発明を説明することのみを意図しており、決して本発明の明細を限定するものではない。特許請求の範囲内の技術的事項の後に参照番号が付されている場合、そのような参照番号は、特許請求の範囲の理解に寄与するのみであるが、決して保護の範囲を限定するものではない。説明される権利は、以下の請求項によって定義され、その範囲内で多くの変更が想定され得る。
【図１】
0006772197.tif 000002
【図２Ａ】
0006772197.tif 000003
【図２Ｂ】
0006772197.tif 000004
【図３Ａ】
0006772197.tif 000005
【図３Ｂ】
0006772197.tif 000006
【図４】
0006772197.tif 000007
【図５】
0006772197.tif 000008
【図６】
0006772197.tif 000009
【図７】
0006772197.tif 000010